(57)【要約】【課題】移動端末から基地局に非周期的にサウンディングレファレンス信号を伝送するための改善された装置及び方法が要求されている。【解決手段】ＬＴＥ−Ａ（Ｌｏｎｇ−Ｔｅｒｍ Ｅｖｏｌｕｔｉｏｎ Ａｄｖａｎｃｅｄ）標準によって動作する無線ネットワークで使用のための移動端末であって、前記移動端末は、基地局から受信されたトリガーグラントに応答して基地局に非周期サウンディングレファレンス信号（ＳＲＳ；ｓｏｕｎｄｉｎｇ ｒｅｆｅｒｅｎｃｅ ｓｉｇｎａｌ）を伝送するために動作する。前記移動端末が前記非周期ＳＲＳを伝送する帯域幅は、前記トリガーグラントの形式に従う。前記トリガーグラントの形式は、ダウンリンクグラント、アップリンク多重入力多重出力（ＭＩＭＯ；ｍｕｌｔｉｐｌｅ−ｉｎｐｕｔ、ｍｕｌｔｉｐｌｅ−ｏｕｔｐｕｔ）グラント及びアップリンク単一入力多重出力（ＳＩＭＯ；ｓｉｎｇｌｅ−ｉｎｐｕｔ、ｍｕｌｔｉｐｌｅ−ｏｕｔｐｕｔ）グラントのうち１つである。【選択図】図１
2016021784.tif 000002
【特許請求の範囲】
【請求項１】
端末の無線通信システムのための方法であって、
サウンディングレファレンス信号（ｓｏｕｎｄｉｎｇ  ｒｅｆｅｒｅｎｃｅ  ｓｉｇｎａｌ、ＳＲＳ）を単一キャリア周波数分割多重化（ｓｉｎｇｌｅ  ｃａｒｒｉｅｒ−ｆｒｅｑｕｅｎｃｙ  ｄｉｖｉｓｉｏｎ  ｍｕｌｔｉｐｌｅｘｉｎｇ、ＳＣ−ＦＤＭ）シンボルで伝送する段階を含み、
もし、端末がＳＲＳトリガー値を含むトリガリンググラント（ｔｒｉｇｇｅｒｉｎｇ  ｇｒａｎｔ）を受信すると、前記ＳＲＳは非周期的ＳＲＳであり、前記非周期的ＳＲＳは、前記トリガリンググラントに基づいてトリガーされ、
前記ＳＲＳを伝送する前記ＳＣ−ＦＤＭシンボルの全伝送電力が、前記端末の最大伝送電力レベルを超過する場合、前記端末は、スケーリングファクタ（ｓｃａｌｉｎｇ  ｆａｃｔｏｒ）に基づいて、前記ＳＲＳの伝送電力をスケール（ｓｃａｌｅ）することを特徴とする方法。
【請求項２】
もし、前記ＳＲＳが少なくとも２つのコンポネントキャリア（ｃｏｍｐｏｎｅｎｔ  ｃａｒｒｉｅｒ）で伝送されると、前記端末は、前記ＳＲＳが伝送される前記少なくとも２つのコンポネントキャリアの各伝送電力を、下記数学式によりスケールする請求項１に記載の方法。
【数１】
2016021784.tif 000025
（上記式において、ＰＣＭＡＸは、前記端末の前記最大伝送電力レベルであり、ｗｃは、前記スケーリングファクタであり、ＰＳＲＳ，Ｃは、前記ＳＲＳが伝送されるコンポネントキャリアの伝送電力である。）
【請求項３】
前記トリガリンググラントが上りリンクグラントであると、前記ＳＲＳの伝送帯域幅は、前記トリガリンググラントに基づいて、第１帯域幅に決定される請求項１に記載の方法。
【請求項４】
前記トリガリンググラントが下りリンクグラントであると、前記ＳＲＳの伝送帯域幅は、前記トリガリンググラントに基づいて、第２帯域幅に決定される請求項３に記載の方法。
【請求項５】
前記端末は、同じＳＲＳパラメーターと関連した少なくとも１つのトリガリンググラントに基づいて、特定コンポネントキャリア上の特定サブフレームに前記ＳＲＳを伝送する請求項１に記載の方法。
【請求項６】
基地局の無線通信システムのための方法であって、
サウンディングレファレンス信号（ｓｏｕｎｄｉｎｇ  ｒｅｆｅｒｅｎｃｅ  ｓｉｇｎａｌ、ＳＲＳ）を単一キャリア周波数分割多重化（ｓｉｎｇｌｅ  ｃａｒｒｉｅｒ−ｆｒｅｑｕｅｎｃｙ  ｄｉｖｉｓｉｏｎ  ｍｕｌｔｉｐｌｅｘｉｎｇ、ＳＣ−ＦＤＭ）シンボルで端末から受信する段階を含み、
もし、基地局がＳＲＳトリガー値を含むトリガリンググラント（ｔｒｉｇｇｅｒｉｎｇ  ｇｒａｎｔ）を伝送すると、前記ＳＲＳは非周期的ＳＲＳであり、前記非周期的ＳＲＳは、前記トリガリンググラントに基づいてトリガーされ、
前記ＳＲＳを伝送する前記ＳＣ−ＦＤＭシンボルの全伝送電力が、前記端末の最大伝送電力レベルを超過する場合、前記端末は、スケーリングファクタ（ｓｃａｌｉｎｇ  ｆａｃｔｏｒ）に基づいて、前記ＳＲＳの伝送電力をスケール（ｓｃａｌｅ）することを特徴とする方法。
【請求項７】
もし、前記ＳＲＳが少なくとも２つのコンポネントキャリア（ｃｏｍｐｏｎｅｎｔ  ｃａｒｒｉｅｒ）で受信されると、前記端末は、前記ＳＲＳが伝送される前記少なくとも２つのコンポネントキャリアの各伝送電力を、下記数学式によりスケールする請求項６に記載の方法。
【数２】
2016021784.tif 000026
（ＰＣＭＡＸは、前記端末の前記最大伝送電力レベルであり、ｗｃは、前記スケーリングファクタであり、ＰＳＲＳ，Ｃは、前記ＳＲＳが伝送されるコンポネントキャリアの伝送電力である。）
【請求項８】
前記トリガリンググラントが上りリンクグラントであると、前記ＳＲＳの伝送帯域幅は、前記トリガリンググラントに基づいて、第１帯域幅に決定される請求項６に記載の方法。
【請求項９】
前記トリガリンググラントが下りリンクグラントであると、前記ＳＲＳの伝送帯域幅は、前記トリガリンググラントに基づいて、第２帯域幅に決定される請求項６に記載の方法。
【請求項１０】
前記基地局は、同じＳＲＳパラメーターと関連した少なくとも１つのトリガリンググラントに基づいて、特定コンポネントキャリア上の特定サブフレームで前記ＳＲＳを受信する請求項６に記載の方法。
【請求項１１】
無線通信システムのための端末であって、
基地局と信号を送受信する送受信部と、
サウンディングレファレンス信号（ｓｏｕｎｄｉｎｇ  ｒｅｆｅｒｅｎｃｅ  ｓｉｇｎａｌ、ＳＲＳ）を単一キャリア周波数分割多重化（ｓｉｎｇｌｅ  ｃａｒｒｉｅｒ−ｆｒｅｑｕｅｎｃｙ  ｄｉｖｉｓｉｏｎ  ｍｕｌｔｉｐｌｅｘｉｎｇ、ＳＣ−ＦＤＭ）シンボルで伝送するように制御する制御部と、
を含み、
もし、端末がＳＲＳトリガー値を含むトリガリンググラント（ｔｒｉｇｇｅｒｉｎｇ  ｇｒａｎｔ）を受信すると、前記ＳＲＳは非周期的ＳＲＳであり、前記非周期的ＳＲＳは、前記トリガリンググラントに基づいてトリガーされ、
前記ＳＲＳを伝送する前記ＳＣ−ＦＤＭシンボルの全伝送電力が、前記端末の最大伝送電力レベルを超過する場合、前記端末は、スケーリングファクタ（ｓｃａｌｉｎｇ  ｆａｃｔｏｒ）に基づいて、前記ＳＲＳの伝送電力をスケール（ｓｃａｌｅ）することを特徴とする端末。
【請求項１２】
もし、前記ＳＲＳが少なくとも２つのコンポネントキャリア（ｃｏｍｐｏｎｅｎｔ  ｃａｒｒｉｅｒ）で伝送されると、前記端末は、前記ＳＲＳが伝送される前記少なくとも２つのコンポネントキャリアの各伝送電力を、下記数学式によりスケールする請求項１１に記載の端末。
【数３】
2016021784.tif 000027
（上記式において、ＰＣＭＡＸは、前記端末の前記最大伝送電力レベルであり、ｗｃは、前記スケーリングファクタであり、ＰＳＲＳ，Ｃは、前記ＳＲＳが伝送されるコンポネントキャリアの伝送電力である。）
【請求項１３】
前記トリガリンググラントが上りリンクグラントであると、前記ＳＲＳの伝送帯域幅は、前記トリガリンググラントに基づいて、第１帯域幅に決定される請求項１１に記載の端末。
【請求項１４】
前記トリガリンググラントが下りリンクグラントであると、前記ＳＲＳの伝送帯域幅は、前記トリガリンググラントに基づいて、第２帯域幅に決定される請求項１３に記載の端末。
【請求項１５】
前記端末は、同じＳＲＳパラメーターと関連した少なくとも１つのトリガリンググラントに基づいて、特定コンポネントキャリア上の特定サブフレームに前記ＳＲＳを伝送する請求項１１に記載の端末。
【請求項１６】
無線通信システムのための基地局であって、
端末と信号を送受信する送受信部と、
サウンディングレファレンス信号（ｓｏｕｎｄｉｎｇ  ｒｅｆｅｒｅｎｃｅ  ｓｉｇｎａｌ、ＳＲＳ）を単一キャリア周波数分割多重化（ｓｉｎｇｌｅ  ｃａｒｒｉｅｒ−ｆｒｅｑｕｅｎｃｙ  ｄｉｖｉｓｉｏｎ  ｍｕｌｔｉｐｌｅｘｉｎｇ、ＳＣ−ＦＤＭ）シンボルで端末から受信するように制御する制御部を含み、
もし、基地局がＳＲＳトリガー値を含むトリガリンググラント（ｔｒｉｇｇｅｒｉｎｇ  ｇｒａｎｔ）を伝送すると、前記ＳＲＳは非周期的ＳＲＳであり、前記非周期的ＳＲＳは、前記トリガリンググラントに基づいてトリガーされ、
前記ＳＲＳを伝送する前記ＳＣ−ＦＤＭシンボルの全伝送電力が、前記端末の最大伝送電力レベルを超過する場合、前記端末は、スケーリングファクタ（ｓｃａｌｉｎｇ  ｆａｃｔｏｒ）に基づいて、前記ＳＲＳの伝送電力をスケール（ｓｃａｌｅ）することを特徴とする基地局。
【請求項１７】
もし、前記ＳＲＳが少なくとも２つのコンポネントキャリア（ｃｏｍｐｏｎｅｎｔ  ｃａｒｒｉｅｒ）で受信されると、前記端末は、前記ＳＲＳが伝送される前記少なくとも２つのコンポネントキャリアの各伝送電力を、下記数学式によりスケールする請求項１６に記載の基地局。
【数４】
2016021784.tif 000028
（上記式において、ＰＣＭＡＸは、前記端末の前記最大伝送電力レベルであり、ｗｃは、前記スケーリングファクタであり、ＰＳＲＳ，Ｃは、前記ＳＲＳが伝送されるコンポネントキャリアの伝送電力である。）
【請求項１８】
前記トリガリンググラントが上りリンクグラントであると、前記ＳＲＳの伝送帯域幅は、前記トリガリンググラントに基づいて、第１帯域幅に決定される請求項１６に記載の基地局。
【請求項１９】
前記トリガリンググラントが下りリンクグラントであると、前記ＳＲＳの伝送帯域幅は、前記トリガリンググラントに基づいて、第２帯域幅に決定される請求項１８に記載の基地局。
【請求項２０】
前記基地局は、同じＳＲＳパラメーターと関連した少なくとも１つのトリガリンググラントに基づいて、特定コンポネントキャリア上の特定サブフレームで前記ＳＲＳを受信する請求項１６に記載の基地局。
【発明の詳細な説明】
【技術分野】
【０００１】
本発明は、一般的に無線ネットワークに関し、より詳細には、移動端末から基地局にアップリンクサウンディングレファレンス信号（ＳＲＳ；ｓｏｕｎｄｉｎｇ ｒｅｆｅｒｅｎｃｅ ｓｉｇｎａｌ）を伝送するための方法及び装置に関する。
【背景技術】
【０００２】
次の文献及び標準明細は、その全体が本明細書に記述されたもののように含まれる：ｉ）３ＧＰＰ技術規格Ｎｏ．３６．２１１、バージョン８．８．０、“Ｅ−ＵＴＲＡ、Ｐｈｙｓｉｃａｌ Ｃｈａｎｎｅｌｓ ａｎｄ Ｍｏｄｕｌａｔｉｏｎ、”２００９年９月（以下、“ＲＥＦ１”という）；ｉｉ）３ＧＰＰ技術規格Ｎｏ．３６．２１２、バージョン８．８．０、“Ｅ−ＵＴＲＡ、Ｍｕｌｔｉｐｌｅｘｉｎｇ Ａｎｄ Ｃｈａｎｎｅｌ Ｃｏｄｉｎｇ、”２００９年１２月（以下、“ＲＥＦ２”という）；ｉｉｉ）３ＧＰＰ技術規格Ｎｏ．３６．２１３、バージョン８．８．０、“Ｅ−ＵＴＲＡ、Ｐｈｙｓｉｃａｌ Ｌａｙｅｒ Ｐｒｏｃｅｄｕｒｅｓ、”２００９年９月（以下、“ＲＥＦ３”という）；ｉｖ）文献Ｎｏ．Ｒ１−１０２５７８、“Ｗａｙ Ｆｏｒｗａｒｄ ｏｎ ＵＬ Ｐｏｗｅｒ Ｃｏｎｔｒｏｌ ｗｉｔｈ Ｃａｒｒｉｅｒ Ａｇｇｒｅｇａｔｉｏｎ、”３ＧＰＰ ＲＡＮ１＃６０ｂｉｓ、２０１０年４月；及びＲＡＮ１＃６０ｂｉｓ−議長のノート。
【０００３】
サウンディングレファレンス信号（ＳＲＳ）伝送方法は、前述したＬＴＥレファレンス、ＲＥＦ１、ＲＥＦ２及びＲＥＦ３で３ＧＰＰ標準のリリース８（Ｒｅｌ−８）で論議される。サウンディングレファレンス信号は、移動端末から基地局にアップリンクで伝送される。基地局は、移動端末から基地局にチャネルの特徴を判断するためにＳＲＳを使用する。
【０００４】
基地局は、無線資源制御（ＲＲＣ）階層シグナリングでＳＲＳを周期的に伝送するように移動端末を設定する。ＲＲＣシグナリングは、例えば、移動端末によって伝送されるＳＲＳ周期及び使用されるリソース（例えば、サブキャリア、タイムスロット、循環シフトなど）を設定する。リリース８で、サウンディングレファレンス信号は、特別に設定されたサブフレームで最後のＳＣ−ＦＤＭ（ｓｉｎｇｌｅ ｃａｒｒｉｅｒ ｆｒｅｑｕｅｎｃｙ ｄｉｖｉｓｉｏｎ ｍｕｌｔｉｐｌｅｘｉｎｇ）シンボル上で移動端末によって周期的に伝送される。ＳＲＳ ＳＣ−ＦＤＭシンボルのためのパワーレベルは、物理アップリンク共有チャネル（ＰＵＳＣＨ；ｐｈｙｉｓｃａｌ ｕｐｌｉｎｋ ｓｈａｒｅｄ ｃｈａｎｎｅｌ）ＳＣ−ＦＤＭシンボルのパワーレベルと差異（ｏｆｆｓｅｔ）があり得る。
【発明の概要】
【発明が解決しようとする課題】
【０００５】
しかしながら、３ＧＰＰ ＬＴＥ標準に含まれる候補４ＧシステムであるＬＴＥ−Ａ（ｔｈｅ Ｌｏｎｇ Ｔｅｒｍ Ｅｖｏｌｕｔｉｏｎ Ａｄｖａｎｃｅｄ）標準のリリース１０で、ＳＲＳ伝送が基地局によって伝送されるトリガーメッセージに対して応答して、非周期的に行われることが提案された。
【０００６】
したがって、移動端末から基地局に非周期的にサウンディングレファレンス信号を伝送するための改善された装置及び方法が本技術分野において要求されている。特に、非周期的に伝送されるサウンディングレファレンス信号の帯域幅及び伝送パワーレベルを設定するための改善された装置及び方法が要求されている。
【課題を解決するための手段】
【０００７】
移動端末は、ＬＴＥ−Ａ（Ｌｏｎｇ−Ｔｅｒｍ Ｅｖｏｌｕｔｉｏｎ Ａｄｖａｎｃｅｄ）標準によって動作する無線ネットワークで使用のために提供される。前記移動端末は、基地局から受信されるトリガーグラントに応答して前記基地局に非周期サウンディングレファレンス信号（ＳＲＳ；ｓｏｕｎｄｉｎｇ ｒｅｆｅｒｅｎｃｅ ｓｉｇｎａｌ）を伝送するように動作することができる。前記移動端末が前記非周期ＳＲＳを伝送する帯域幅は、前記トリガーグラントの形式による。前記トリガーグラントの形式は、ダウンリンクグラント、アップリンク多重入力多重出力（ＭＩＭＯ；ｍｕｌｔｉｐｌｅ−ｉｎｐｕｔ、ｍｕｌｔｉｐｌｅ−ｏｕｔｐｕｔ）グラント及びアップリンク単一入力多重出力（ＳＩＭＯ；ｓｉｎｇｌｅ−ｉｎｐｕｔ、ｍｕｌｔｉｐｌｅ−ｏｕｔｐｕｔ）グラントのうち１つである。
【０００８】
基地局がＬＴＥ−Ａ（Ｌｏｎｇ−Ｔｅｒｍ Ｅｖｏｌｕｔｉｏｎ Ａｄｖａｎｃｅｄ）標準によって動作する無線ネットワークで使用のために提供される。前記基地局は、移動端末から非周期サウンディングレファレンス信号（ＳＲＳ；ｓｏｕｎｄｉｎｇ ｒｅｆｅｒｅｎｃｅ ｓｉｇｎａｌ）を受信するように動作することができる。前記基地局は、前記移動端末にトリガーグラントを伝送する。これに応答して、基地局は、トリガーグラントの形式による帯域幅上で前記非周期ＳＲＳを受信する。前記トリガーグラントの形式は、ダウンリンクグラント、アップリンク多重入力多重出力（ＭＩＭＯ；ｍｕｌｔｉｐｌｅ−ｉｎｐｕｔ、ｍｕｌｔｉｐｌｅ−ｏｕｔｐｕｔ）グラント及びアップリンク単一入力多重出力（ＳＩＭＯ；ｓｉｎｇｌｅ−ｉｎｐｕｔ、ｍｕｌｔｉｐｌｅ−ｏｕｔｐｕｔ）グラントのうち１つである。
【０００９】
ＬＴＥ−Ａ（Ｌｏｎｇ−Ｔｅｒｍ Ｅｖｏｌｕｔｉｏｎ Ａｄｖａｎｃｅｄ）標準によって動作する無線ネットワークで使用のための移動端末であって、前記移動端末は、ＳＣ−ＦＤＭシンボルでサウンディングレファレンス信号（ＳＲＳ；ｓｏｕｎｄｉｎｇ ｒｅｆｅｒｅｎｃｅ ｓｉｇｎａｌ）を受信するように動作することができる。前記サウンディングレファレンス信号は、少なくとも２コンポネントキャリア上で伝送される。もし、前記サウンディングレファレンス信号と関連した前記ＳＣ−ＦＤＭシンボルの全体伝送パワーが前記移動端末の最大伝送パワーレベル、ＰＣＭＡＸを超過すれば、前記移動端末は、前記サウンディングレファレンス信号が伝送される少なくとも２コンポネントキャリア各々の伝送パワーレベルをスケール（ｓｃａｌｅ）する。
【００１０】
下記のような本発明の詳細な説明に入るに先立って、本特許文献全体にわたって使用される任意の単語、そして構文の一部に対する定義について説明することが有利であろう。用語“備える（ｉｎｃｌｕｄｅ）”及び“含む（ｃｏｍｐｒｉｓｅ）”は、それから派生したものと共に、制限なしに含まれることを意味する；用語“または（ｏｒ）”は、及び／または（ａｎｄ／ｏｒ）の意味を含むことができる。構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに連結する（ｉｎｔｅｒｃｏｎｎｅｃｔ ｗｉｔｈ）、含有する（ｃｏｎｔａｉｎ）、内に含有される（ｂｅ ｃｏｎｔａｉｎｅｄ ｗｉｔｈｉｎ）、何にまたは何と連結する（ｃｏｎｎｅｃｔ ｔｏ ｏｒ ｗｉｔｈ）、何にまたは何と対で連結する（ｃｏｕｐｌｅ ｔｏ ｏｒ ｗｉｔｈ）、何と通信を行うことができる（ｂｅ ｃｏｍｍｕｎｉｃａｂｌｅ ｗｉｔｈ）、何に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、何に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の特性を有する（ｈａｖｅ ａ ｐｒｏｐｅｒｔｙ ｏｆ）などの意味になることができる。単語及び構文に対する定義は、この特許文献全体にわたって提供され、この技術分野における通常の知識を有する者は、多くの場合に、あるいは、そうでなければ大部分の場合で、そのように定義された単語と構文の今後の使用と共に、先立って適用されたそのような定義を理解することができる。
【発明の効果】
【００１１】
本発明によれば、非周期的に伝送されるサウンディングレファレンス信号の帯域幅及び伝送パワーレベルの設定が向上する。
【図面の簡単な説明】
【００１２】
本発明とその利点のさらに完全な理解のために、添付の図面とともに次の説明を参照する。ここで、同一の参照番号は、同一の部分を示す。
【図１】本発明の原理によるサウンディングレファレンス信号を伝送する例示的な無線ネットワークを示す。
【図２】本発明の実施例による複数の移動端末と通信する基地局を示す。
【図３】本発明の実施例による４×４多重入力多重出力（ＭＩＭＯ）システムを示す。
【図４Ａ】ランダムアクセスチャネル（ＲＡＣＨ；Ｒａｎｄｏｍ Ａｃｃｅｓｓ Ｃｈａｎｎｅｌ）応答によって非周期ＳＲＳのトリガーを示す。
【図４Ｂ】ランダムアクセスチャネル（ＲＡＣＨ；Ｒａｎｄｏｍ Ａｃｃｅｓｓ Ｃｈａｎｎｅｌ）応答によって非周期ＳＲＳのトリガーを示す。
【図５】キャリア結合システムで例示的なＳＲＳ伝送シナリオを示す。
【図６】キャリア結合システムで例示的なＳＲＳ伝送シナリオを示す。
【発明を実施するための形態】
【００１３】
この特許文献で本発明の原理を説明するために使用された多様な実施例及び下記で論議される、図１〜図６は、ただ説明するための形態として使用され、本発明の権利範囲を制限するための如何なる方法で解釈されてはならない。この技術分野における通常の知識を有する者なら本発明の原理が適切に処理されたいずれの無線通信システムでも具現されることができることを理解することができる。
【００１４】
図１は、例示的な無線ネットワーク１００を示し、この無線ネットワークは、本発明の原理によるサウンディングレファレンス信号を伝送する。無線ネットワーク１００は、基地局（ＢＳ、ｂａｓｅ ｓｔａｔｉｏｎ）１０１、基地局（ＢＳ）１０２、基地局（ＢＳ）１０３、及び他の類似の基地局（図示せず）を含む。基地局１０１は、インターネット１３０または類似のＩＰ基盤ネットワーク（図示せず）と通信する状態にある。
【００１５】
ネットワーク形式によって、“基地局（ｂａｓｅ ｓｔａｔｉｏｎ）”の代わりに、“ｅＮｏｄｅＢ”または“接続ポイント（ａｃｃｅｓｓ ｐｏｉｎｔ）”のようによく知られた他の用語が使用されることができる。説明の便宜のために、用語“基地局（ｂａｓｅ ｓｔａｔｉｏｎ）”は、この文献で遠隔ターミナルに対する無線接続を提供するネットワークインフラストラクチャーコンポネントを示すものとして使用される。
【００１６】
基地局１０２は、インターネット１３０に対する無線広帯域接続を基地局１０２のカバレージ領域１２０内の第１複数の移動端末に提供する。第１複数の移動端末は、小規模事業者（ＳＢ；ｓｍａｌｌ ｂｕｓｉｎｅｓｓ）に位置することができる、移動端末１１１、大規模事業者（Ｅ；ｅｎｔｅｒｐｒｉｓｅ）に位置することができる移動端末１１２、ＷｉＦｉホットスポット（ＨＳ；ｈｏｔｓｐｏｔ）に位置することができる移動端末１１３、第１居住地（Ｒ；ｒｅｓｉｄｅｎｃｅ）に位置することができる、移動端末１１４、第２居住地（Ｒ；ｒｅｓｉｄｅｎｃｅ）に位置することができる移動端末１１５及びセルラフォン、無線ラップトップ、無線ＰＤＡなどのようなモバイル装置（Ｍ）になることができる移動端末１１６を含む。
【００１７】
説明の便宜のために、移動端末が真正な移動装置（例えば、セルフォン）であるか、または停止された装置（例えば、デスクトップパソコン、自動販売機など）として一般的に考慮されるものであっても、用語“移動端末（ｍｏｂｉｌｅ ｓｔａｔｉｏｎ）”は、この文献で基地局に無線で接続するいかなる遠隔無線装置を指定するものとして使用される。他のシステムで、他のよく知られた用語が“移動端末（ｍｏｂｉｌｅ ｓｔａｔｉｏｎ）”の代わりに、“加入者端末（ｓｕｂｓｃｒｉｂｅｒ ｓｔａｔｉｏｎ；ＳＳ）”、“遠隔ターミナル（ｒｅｍｏｔｅ ｔｅｒｍｉｎａｌ；ＲＴ）”、“無線ターミナル（ｗｉｒｅｌｅｓｓ ｔｅｒｍｉｎａｌ；ＷＴ）”、“ユーザ装置（ｕｓｅｒ ｅｑｕｉｐｍｅｎｔ；ＵＥ）”などのように使用されることができる。
【００１８】
基地局１０３は、基地局１０３のカバレージ領域１２５内の第２複数の移動端末にインターネット１３０に対する無線広帯域接続を提供する。第２複数の移動端末は、移動端末１１５及び移動端末１１６を含む。この実施例において、基地局１０１〜１０３は、ＯＦＤＭまたはＯＦＤＭＡ技術を利用して移動端末１１１〜１１６と、そして相互間に通信することができる。
【００１９】
ただ６個の移動端末が図１に示されているが、無線ネットワーク１００が無線広帯域接続を追加の移動端末に提供することができることを理解しなければならない。移動端末１１５及び移動端末１１６は、カバレージ領域１２０及びカバレージ領域１２５の両方のエッジに位置していることに留意しなければならない。移動端末１１５及び移動端末１１６の各々は、基地局１０２及び基地局１０３の両方と通信を行い、この技術分野における通常の知識を有する者に知られたようなハンドオフ（ｈａｎｄｏｆｆ）モードで動作すると言える。
【００２０】
コードブック設計に基づく閉ループ（ｃｌｏｓｅｄ−ｌｏｏｐ）伝送ビームフォーミングスキームの例示的な説明が次の文献で発見されることができる。1)D. Love, J. Heath, and T.Strohmer、“Grassmannian Beamforming For Multiple-Input, Multiple-Output Wireless Systems, ”IEEE Transactions on Information Theory, 2003年10月及び2)V. Raghavan, A. M.Sayeed, 及びN. Boston, “Near-Optimal Codebook Constructions For Limited Feedback Beamforming In Correlated MIMO Channels With Few Antennas, ”IEEE 2006, 情報理論上の国際シンポジウム（International Symposiumon Information Theory）。レファレンスは、いずれもその全体がこの文献に記録されたもののように参照として本発明に含まれる。
【００２１】
閉ループコードブック基盤伝送ビームフォーミングは、基地局が同一の時間でそして任意の周波数で単一のユーザまたは同時に多重ユーザに伝送アンテナビームを形成する場合に使用されることができる。そのようなシステムの例示的な説明は、“Quentin H. Spencer, Christian B. Peel, A. Lee Swindlehurst, Martin Harrdt, ”An Introduction To the Multi-User MIMO Downlink、“IEEE Communication Magazine, 2004年10月”で捜すことができ、これは、その全体がこの文献に記述されたもののように参照として本発明に含まれる。
【００２２】
コードブックは、移動端末に知られたあらかじめ決定されたアンテナビームのセットである。コードブック基盤プリコーディングＭＩＭＯは、ダウンリンク閉ループＭＩＭＯで相当なスペクトル効率利得を提供することができる。ＩＥＥＥ ８０２．１６ｅ及び３ＧＰＰ ＬＴＥ標準で、４伝送（４−ＴＸ）アンテナ制限フィードバック基盤閉ループＭＩＭＯ構成が支援される。ＩＥＥＥ ８０２．１６ｍ及び３ＧＰＰ ＬＴＥ Ａｄｖａｎｃｅｄ標準で、ピークスペクトル効率を提供するために、８伝送（８−ＴＸ）アンテナ構成は、顕著なプリコーディング閉ループＭＩＭＯダウンリンクシステムとして提案される。そのようなシステムの例示的な説明は、３ＧＰＰ技術規格Ｎｏ．３６．２１１、“Ｅｖｏｌｖｅｄ Ｕｎｉｖｅｒｓａｌ Ｔｅｒｒｅｓｔｒｉａｌ Ｒａｄｉｏ Ａｃｃｅｓｓ（Ｅ−ＵＴＲＡ）：Ｐｈｙｓｉｃａｌ Ｃｈａｎｎｅｌ ａｎｄ Ｍｏｄｕｌａｔｉｏｎ”で捜すことができ、これは、その全体がこの文献に記述されたもののように参照として本発明に含まれる。
【００２３】
チャネルサウンディング信号または共通パイロット信号（またはミドアンブル（ｍｉｄａｍｂｌｅ））がデータ変調目的に使用されない場合、位相校正プロセスのための必要を除去するために、閉ループ変換コードブック基盤伝送ビームフォーミングが使用されることができる。そのようなシステムの例示的な説明は、“ＩＥＥＥ Ｃ８０２．１６ｍ−０８／１３４５ｒ２、“Ｔｒａｎｓｆｏｒｍａｔｉｏｎ Ｍｅｔｈｏｄ Ｆｏｒ Ｃｏｄｅｂｏｏｋ Ｂａｓｅｄ Ｐｒｅｃｏｄｉｎｇ、”２０００年１１月”で捜すことができ、これは、その全体がこの文献に記述されたもののように参照として本発明に含まれる。変換されたコードブック方法は、特に、高度に相関したチャネルで標準コードブックの性能を強化するために、そして、多重伝送アンテナで位相校正の必要を除去するために、チャネル相関情報（ｃｈａｎｎｅｌ ｃｏｒｒｅｌａｔｉｏｎ ｉｎｆｏｒｍａｔｉｏｎ）を利用する。典型的に、チャネル相関情報は、２次統計に基づく。したがって、非常にゆっくり変更され、これは、シャドーイング（ｓｈａｄｏｗｉｎｇ）及び経路損失（ｐａｔｈ ｌｏｓｓ）のように、ロング−タームチャネル効果と類似している。結果的に、相関情報を利用するフィードバックオーバーヘッド及び演算複雑度は、非常に小さい。
【００２４】
図２は、本発明の実施例による複数の移動端末２０２、２０４、２０６及び２０８と通信する基地局２２０の図面２００を示す。基地局２２０及び移動端末２０２、２０４、２０６及び２０８は、ラジオ波形（ｒａｄｉｏ ｗａｖｅ）信号の送信及び受信のための多重アンテナを採択する。ラジオ波形信号は、直交周波数分割多重化（ＯＦＤＭ；Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）信号になることができる。
【００２５】
図２で、基地局２２０は、各移動端末に対して複数の送信機（ｔｒａｎｓｍｉｔｔｅｒ）を通じて同時にビームフォーミング（ｂｅａｍｆｏｒｍｉｎｇ）を行う。例えば、基地局２２０は、ビームフォーミングされた信号２１０を通じてデータを移動端末２０２に伝送し、ビームフォーミングされた信号２１２を通じてデータを移動端末２０４に伝送し、ビームフォーミングされた信号２１４を通じてデータを移動端末２０６に伝送し、ビームフォーミングされた信号２１６を通じてデータを移動端末２０８に伝送する。一部の実施例において、基地局２２０は、移動端末２０２、２０４、２０６、及び２０８に同時にビームフォーミングを行うことができる。各ビームフォーミングされた信号は、同一の時間及び同一の周波数でこれが意図した移動端末に向けて形成される。明確にするために、基地局から移動端末への通信は、知られたダウンリンク（ＤＬ）通信で示されることができ、移動端末から基地局への通信は、また、アップリンク（ＵＬ）通信で示されることができる。
【００２６】
基地局２２０及び移動端末２０２、２０４、２０６及び２０８は、無線信号を伝送し受信するための多重アンテナを採択する。無線信号は、ラジオ波形信号になることができ、無線信号は、直交周波数分割多重化（ＯＦＤＭ）伝送スキームを含む当業者に知られたいかなる伝送スキームでも使用することができることを理解しなければならない。
【００２７】
移動端末２０２、２０４、２０６、及び２０８は、無線信号を受信することができるいかなる装置であってもよい。移動端末２０２、２０４、２０６、及び２０８の例は、これに限定されないが、ＰＤＡ（ｐｅｒｓｏｎａｌ ｄａｔａ ａｓｓｉｓｔａｎｔ）、ラップトップ、モバイルフォン、携帯用装置、またはビームフォーミングされた伝送を受信することができるいかなる他の装置を含む。
【００２８】
ＯＦＤＭ伝送スキームは、周波数ドメインでデータを多重化するために使用される。変調シンボルは、周波数サブキャリアで伝達する。ＱＡＭ（ｑｕａｄｒａｔｕｒｅ ａｍｐｌｉｔｕｄｅ ｍｏｄｕｌａｔｉｏｎ）変調されたシンボルは、直列から並列に（ｓｅｒｉａｌ−ｔｏ−ｐａｒａｌｌｅｌ）変換され、ＩＦＦＴ（ｉｎｖｅｒｓｅ ｆａｓｔ Ｆｏｕｒｉｅｒ ｔｒａｎｓｆｏｒｍ）に入力される。ＩＦＦＴの出力で、Ｎ時間ドメインサンプルが得られる。ここで、Ｎは、ＯＦＤＭシステムで使用されるＩＦＦＴ／ＦＦＴ（ｆａｓｔ Ｆｏｕｒｉｅｒ ｔｒａｎｓｆｏｒｍ）サイズを示す。ＩＦＦＴ後、信号は、並列から直列に変換され、信号シーケンスに循環前置（ＣＰ；ｃｙｃｌｉｃ ｐｒｅｆｉｘ）が付着される。ＣＰは、多重経路減衰（ｍｕｌｔｉｐａｔｈ ｆａｄｉｎｇ）に起因した効果を回避するか、または緩和するために各ＯＦＤＭシンボルに付着される。出力されるサンプルのシーケンスは、ＣＰを有するＯＦＤＭシンボルで示される。受信機側で完全な時間周波数同期化が行われると仮定すれば、受信機は、まずＣＰを除去し、その後、信号は、ＦＦＴに入力される前に、直列から並列に変換される。ＦＦＴの出力は、並列から直列に変換される。そして、出力されるＱＡＭ変調シンボルは、ＱＡＭ変調器に入力される。
【００２９】
ＯＦＤＭシステムで全体帯域幅は、サブキャリアと命名される狭帯域（ｎａｒｒｏｗ ｂａｎｄ）周波数ユニットに分割される。サブキャリアの数は、システムで使用されるＦＦＴ／ＩＦＦＴサイズＮと同一である。一般的に、周波数スペクトルの端部にあるサブキャリアは、保護サブキャリアとして予約されているので、データのために使用されるサブキャリアの数は、Ｎ個より小さい。一般的に、保護サブキャリアでは、どんな情報も伝送されない。
【００３０】
各ＯＦＤＭシンボルは、時間ドメインで限定された期間を有するので、サブキャリアは、周波数ドメインで相互間にオーバーラップされる。しかし、直交性は、送信機及び受信機が完全な周波数同期化を有すると仮定するサンプリング周波数で維持される。不完全な周波数同期化または高い移動性に起因した周波数オフセットの場合において、サンプリング周波数でサブキャリアの直交性が破壊され、キャリア間の干渉（ＩＣＩ；ｉｎｔｅｒ−ｃａｒｒｉｅｒ−ｉｎｔｅｒｆｅｒｅｎｃｅ）が発生する。
【００３１】
無線通信チャネルの容量及び信頼度を向上させるための基地局及び単一移動端末の両方で多重伝送アンテナ及び多重受信アンテナの利用は、単一ユーザマルチ入力マルチ出力（ＳＵ−ＭＩＭＯ；Ｓｉｎｇｌｅ Ｕｓｅｒ Ｍｕｌｔｉｐｌｅ Ｉｎｐｕｔ Ｍｕｌｔｉｐｌｅ Ｏｕｔｐｕｔ）システムとして知られている。ＭＩＭＯシステムは、Ｋを有する容量で線形増加を保証する。ここで、Ｋは、伝送アンテナの数（Ｍ）及び受信アンテナの数（Ｎ）の最小値である（すなわち、Ｋ＝ｍｉｎ（Ｍ、Ｎ））。ＭＩＭＯシステムは、空間多重化、伝送／受信ビームフォーミングまたは伝送／受信ダイバシティのスキームで具現されることができる。
【００３２】
図３は、本発明の実施例による４×４多重入力多重出力（ＭＩＭＯ）システム３００を示す。この例で、４個の互いに異なるデータストリーム３０２は、４個の伝送アンテナ３０４を利用して分離して伝送される。伝送された信号は、４個の受信アンテナ３０６で受信され、そして、受信された信号３０８として解釈される。空間信号処理３１０の一部形態が４個のデータストリーム３１２を復元するために受信された信号３０８上で行われる。
【００３３】
空間信号処理の例は、Ｖ−ＢＬＡＳＴ（Ｖｅｒｔｉｃａｌ−Ｂｅｌｌ Ｌａｂｏｒａｔｏｒｉｅｓ Ｌａｙｅｒｅｄ Ｓｐａｃｅ−Ｔｉｍｅ）である。これは、伝送されたデータストリームを復元するために連続された干渉取り消し原理（ｓｕｃｃｅｓｓｉｖｅ ｉｎｔｅｒｆｅｒｅｎｃｅ ｃａｎｃｅｌｌａｔｉｏｎ ｐｒｉｎｃｉｐｌｅ）を利用する。ＭＩＭＯスキームの他の変形は、伝送アンテナにわたる一部種類の空間−時間コーディング（ｓｐａｃｅ−ｔｉｍｅ ｃｏｄｉｎｇ）を行うスキームを含む（例えば、Ｄ−ＢＬＡＳＴ（Ｄｉａｇｏｎａｌ Ｂｅｌｌ Ｌａｂｏｒａｔｏｒｉｅｓ Ｌａｙｅｒｅｄ Ｓｐａｃｅ−Ｔｉｍｅ））。追加に、ＭＩＭＯは、無線通信システムでリンク信頼度またはシステム容量を向上させるために、伝送及び受信ダイバシティスキーム及び伝送及び受信ビームフォーミングスキームで具現されることができる。
【００３４】
非周期ＳＲＳトリガー
前述したように、ＬＴＥ−Ａ（Ｌｏｎｇ Ｔｅｒｍ Ｅｖｏｌｕｔｉｏｎ Ａｄｖａｎｃｅｄ）標準のリリース８（Ｒｅｌ−８）及びリリース１０（Ｒｅｌ−１０）の両方は、移動端末から基地局にアップリンクで伝送されるサウンディングレファレンス信号を使用することを提案する。基地局は、移動端末から基地局にチャネル特性を決定するためにサウンディングレファレンス信号（ＳＲＳ）を使用する。しかし、ＬＴＥ−Ａのリリース８は、基地局によって設定される周期的なＳＲＳスキームを使用する一方で、リリース１０ＬＴＥ−Ａで移動端末（ＭＳ）でＳＲＳをトリガーする新しいメカニズムが導入されている。すなわち、非周期ＳＲＳトリガーである。
【００３５】
ＳＲＳが非周期にトリガーされるとき、移動端末は、第１のサブフレームの物理（ＰＨＹ）階層で制御信号を受信する。応答として、移動端末は、数個のサブフレーム後にＳＲＳを伝送する。非周期的なＳＲＳをトリガーする物理階層で制御信号は、ただ１つのサブフレームでただ１つのＳＲＳ伝送をトリガーすることができる。または、これは、多重サブフレームで多重ＳＲＳ伝送をトリガーすることができる。移動端末がサウンディングレファレンス信号を伝送するＳＲＳ帯域幅は、無線資源制御（ＲＲＣ；ｒａｄｉｏ ｒｅｓｏｕｒｃｅ ｃｏｎｔｒｏｌ）階層シグナリングのような、上位階層シグナリングで設定されることができる。
【００３６】
ＬＴＥ−Ａで２個の形式のアップリンク（ＵＬ）伝送モードが存在する。１つのモードは、単一入力多重出力（ＳＩＭＯ；Ｓｉｎｇｌｅ−Ｉｎｐｕｔ、Ｍｕｌｔｉｐｌｅ−Ｏｕｔｐｕｔ）であり、他のモードは、多重入力多重出力（ＭＩＭＯ；Ｍｕｌｔｉｐｌｅ−Ｉｎｐｕｔ、Ｍｕｌｔｉｐｌｅ−Ｏｕｔｐｕｔ）である。もしＳＩＭＯモードが設定されれば、移動端末は、ただ１つのアンテナポート上で信号を伝送する。代案的に、もしＮ伝送アンテナ（またはＮ−Ｔｘ）ＭＩＭＯモードが設定されれば、移動端末は、多重（すなわち、Ｎ）アンテナポート上で信号を伝送することができる。表１は、物理ダウンリンク制御チャネル（ＰＤＣＣＨ；Ｐｈｙｓｉｃａｌ Ｄｏｗｎｌｉｎｋ Ｃｏｎｔｒｏｌ Ｃｈａｎｎｅｌ）及び物理アップリンク制御チャネル（ＰＵＳＣＨ；Ｐｈｙｓｉｃａｌ Ｕｐｌｉｎｋ Ｃｏｎｔｒｏｌ Ｃｈａｎｎｅｌ）の他の設定のための例示的なアップリンク伝送モードを示す。
【００３７】
【表１】
2016021784.tif 000003
表１で、ＰＤＣＣＨ及びＰＵＳＣＨは、セルＲＮＴＩ（Ｃ−ＲＮＴＩ）によって設定される。ここで、ＲＮＴＩは、無線ネットワーク臨時識別子（Ｒａｄｉｏ Ｎｅｔｗｏｒｋ Ｔｅｍｐｏｒａｒｙ Ｉｄｅｎｔｉｆｉｅｒ）である。Ｃ−ＲＮＴＩは、セル内で固有のユーザ装置識別子（ＵＥ−ＩＤ）として取り扱われる。表１で、“ユーザ装置特定（ＵＥ ｓｐｅｃｉｆｉｃ）”は、“移動端末特定（ＭＳ ｓｐｅｃｉｆｉｃ）”と同一の意味を有する。
【００３８】
本発明の一実施例において、移動端末は、設定されたアップリンク伝送モードによって異なる数の非周期的なＳＲＳポートで伝送される。例えば、もしアップリンクＳＩＭＯモードが設定されれば、移動端末は、非周期的なＳＲＳがトリガーされるとき、単一アンテナポート上でＳＲＳを伝送する。もしＮ伝送アンテナ（Ｎ−Ｔｘ）アップリンクＭＩＭＯモードが設定されれば、移動端末は、非周期的ＳＲＳがトリガーされるとき、Ｎ伝送アンテナポート上でＳＲＳを伝送する。
【００３９】
本発明の一実施例において、移動端末は、設定されたアップリンクモード及び設定されたダウンリンク伝送モードの両方によって異なる数の非周期的ＳＲＳポート上で伝送する。さらに、ＳＲＳ伝送は、レポートモードに設定された移動端末によることができる。例えば、第１設定で移動端末がアップリンクＭＩＭＯ伝送モードに設定されれば、設定されたダウンリンク伝送モードに関係なく、すべてのＮアップリンク伝送（Ｔｘ）アンテナポート上でサウンディングレファレンス信号を伝送する。第２設定で移動端末がアップリンクＳＩＭＯ伝送モード及びただ単一階層伝送を支援するダウンリンク伝送モードに設定されれば、移動端末は、単一アップリンク伝送アンテナポート上でサウンディングレファレンス信号を伝送する。第３設定でもし移動端末がアップリンクＳＩＭＯ伝送モードに設定されたが、また、ダウンリンク多重ポート伝送モードに設定されれば、２つの可能性ある代案が存在する：ｉ）第１代案で、移動端末は、すべてのＮアップリンク伝送アンテナポート上でＳＲＳを伝送する。そして、ｉｉ）第２代案で、もしプリコーディングマトリックス指示子（ＰＭＩ；ｐｒｅｃｏｄｉｎｇ ｍａｔｒｉｘ ｉｎｄｉｃａｔｏｒ）／チャネル品質指示子（ＣＱＩ；ｃｈａｎｎｅｌ ｑｕａｌｉｔｙ ｉｎｄｉｃａｔｏｒ）レポートが設定されれば、移動端末は、単一アップリンク伝送アンテナポート上でＳＲＳを伝送する；ＰＭＩ／ＣＱＩレポートが設定されなければ、移動端末は、Ｎアップリンク伝送アンテナポート上でＳＲＳを伝送する。
【００４０】
本発明の他の実施例において、移動端末は、アップリンクグラントをトリガーするか、ダウンリンクグラントをトリガーするＤＣＩフォーマットによって異なる数の非周期的ＳＲＳポート上で伝送される。例えば、Ｎ伝送アップリンクＭＩＭＯモードに設定された移動端末で、非周期的ＳＲＳをトリガーするアップリンクグラントが移動端末が移動端末自体単一階層伝送（または明確な伝送ダイバシティ伝送）を行うように要請するフォールバック（ｆａｌｌ−ｂａｃｋ）グラントなら、移動端末は、移動端末自体構成単一アンテナポート上で非周期ＳＲＳを伝送する。代案的に、非周期ＳＲＳをトリガーするアップリンクグラントが、移動端末がｎ＝１、２、…、Ｎであるｎ階層ビームフォーミング（ｂｅａｍｆｏｒｍｉｎｇ）を行うように要請する、アップリンクＭＩＭＯモードのための一般伝送グラントなら、移動端末は、すべてのＮアンテナポート上で非周期ＳＲＳを伝送することができる。アップリンクＭＩＭＯモード（アップリンクモード２で示す）で一般及びフォールバックグラントの例は、表１に示した。この方法の理由は、基地局が移動端末にフォールバック伝送グラントを伝送する場合に、移動端末がパワー制限レジーム（ｐｏｗｅｒ−ｌｉｍｉｔｅｄ ｒｅｇｉｍｅ）にあり得るからである。この場合に、多重ＳＲＳポート上にパワーを分散するよりも、１つのＳＲＳアンテナポート上に全体伝送パワーを配置する方が良い。
【００４１】
本発明の一実施例において、移動端末は、アップリンクグラントをトリガーするか、またはダウンリンクグラントをトリガーするＤＣＩフォーマットによって異なる帯域幅（ＢＷ）の非周期ＳＲＳを伝送する。例えば、移動端末がアップリンクＭＩＭＯモードまたはアップリンクＳＩＭＯモードに設定され、非周期ＳＲＳをトリガーするアップリンクグラントが移動端末から単一階層伝送をスケジュールすれば（すなわち、アップリンク伝送ランク＝１）、移動端末は、帯域幅１（ＢＷ１）で示される第１帯域幅内で非周期ＳＲＳを伝送することができる。他方で、非周期ＳＲＳをトリガーするアップリンクグラントが移動端末から多重階層伝送をスケジュールすれば（すなわち、アップリンク伝送ランク＞１）、移動端末は、帯域幅２（ＢＷ２）で示される第２帯域幅内で非周期ＳＲＳを伝送する。帯域幅１（ＢＷ１）及び帯域幅２（ＢＷ２）帯域幅は、基地局によりＲＲＣシグナリングで設定されることができる。例示的な方法で、基地局は、帯域幅２のサブセットとして帯域幅１を設定することができる。したがって、移動端末がＳＲＳを伝送する帯域幅は、移動端末がＳＲＳを伝送するフォールバック伝送グラントを有する非周期ＳＲＳを行うようにトリガーされるとき、減少する。
【００４２】
本発明の一実施例において、移動端末は、移動端末がアップリンク及び／またはダウンリンクを受信したサブフレームｎよりも、アップリンクグラント、ダウンリンクグラント、またはこれら両方によってアップリンクコンポネントキャリア（ＣＣ；ｃｏｍｐｏｎｅｎｔ ｃａｒｒｉｅｒ）またはセルで非周期ＳＲＳをトリガーする他のサブフレームｎ＋ｋで非周期ＳＲＳを伝送することができる。ここで、ｎ及びｋは、負でない整数である。例えば、アップリンクグラント及び／またはダウンリンクグラントによって、移動端末が非周期ＳＲＳを伝送するアンテナポートの数、及び／または移動端末が非周期ＳＲＳを伝送する帯域幅は、変更されることができる。
【００４３】
ここで、非周期ＳＲＳは、指定された値に対する１つのコードポイントを設定する伝送グラントによってトリガーされることができる。一例として、非周期ＳＲＳは、循環シフト情報（ＣＳＩ、ｃｙｃｌｉｃ−ｓｈｉｆｔ ｉｎｆｏｒｍａｔｉｏｎ）パーティションによりトリガーされることができる。アップリンクグラントでＣＳＩ（例えば、ＤＣＩフォーマット０）がＣＳＩインデックスの第１のサブセットに属すれば、非周期ＳＲＳがトリガーされることができる。そうでなければ、非周期ＳＲＳは、トリガーされない。次は、その例である：
【００４４】
【表２】
2016021784.tif 000004
【００４５】
他の例において、非周期ＳＲＳは、周波数ホッピングビット（ｆｒｅｑｕｅｎｃｙ ｈｏｐｐｉｎｇ ｂｉｔ）によってトリガーされることができる。アップリンクグラントで周波数ホッピングビット（例えば、ＤＣＩフォーマット０）が１なら、非周期ＳＲＳは、トリガーされる。そうでなければ、非周期ＳＲＳは、トリガーされない。次は、その例である：
【表３】
2016021784.tif 000005
【００４６】
さらに他の例において、非周期ＳＲＳは、パディングビット（ｐａｄｄｉｎｇ ｂｉｔ）によってトリガーされることができる。アップリンクグラントでパディングビットが（例えば、ＤＣＩフォーマット０）１なら、非周期ＳＲＳは、トリガーされる。そうでなければ、非周期ＳＲＳは、トリガーされない。次は、その例である：
【００４７】
【表４】
2016021784.tif 000006
【００４８】
さらに他の例において、ＳＲＳトリガーのための明示的な１ビットがただ移動端末特定検索空間で伝送されるＤＣＩフォーマット０に含まれれば、非周期ＳＲＳがトリガーされることができる。しかし、ＳＲＳトリガーのための明示的な１ビットは、セル特定検索空間で伝送されるＤＣＩフォーマット０に含まれない。
【００４９】
図４ａ及び図４ｂは、ランダムアクセスチャネル（ＲＡＣＨ；Ｒａｎｄｏｍ Ａｃｃｅｓｓ Ｃｈａｎｎｅｌ）応答によって非周期ＳＲＳのトリガーを示す。図４ａで、基地局は、ランダムアクセス（ＲＡ）プリアンブル割り当て（Ｒａｎｄｏｍ Ａｃｃｅｓｓ Ｐｒｅａｍｂｌｅ Ａｓｓｉｇｎｍｅｎｔ）メッセージを移動端末に伝送する。移動端末は、ランダムアクセスプリアンブル（Ｒａｎｄｏｍ Ａｃｃｅｓｓ Ｐｒｅａｍｂｌｅ）メッセージを基地局に伝送することによって応答する。最後に、基地局は、ランダムアクセス応答（Ｒａｎｄｏｍ Ａｃｃｅｓｓ Ｒｅｓｐｏｎｓｅ）メッセージを移動端末に伝送する。この実施例で、非周期ＳＲＳは、ランダムアクセス手続に基づく非コンテンション（ｎｏｎ−ｃｏｎｔｅｎｔｉｏｎ）でＭＡＣ階層で伝送されるＲＡＣＨ応答でアップリンクグラントによって許されるアップリンク伝送とともに伝送される。
【００５０】
図４ｂは、さらに詳細に基地局から移動端末に伝送されるランダムアクセス応答メッセージを示す。ランダムアクセス応答メッセージの図示された部分は、各々８ビットを含む６オクテット（ｏｃｔｅｔ）を含む。オクテット１で第１ビットは、リザーブされる（ｒｅｓｅｒｖｅｄ）（Ｒ）。ＭＡＣ階層ランダムアクセス応答（ＲＡＲ）でリザーブビットがバイナリー１に設定されれば、非周期ＳＲＳは、トリガーされる。そうでなければ、非周期ＳＲＳは、トリガーされない。
【００５１】
次の例は、どんなに非周期ＳＲＳ伝送に対して移動端末動作がアップリンクグラント、ダウンリンクグラントまたは両方によって変更されるかを示す。第１の例で、多重または単一アンテナポートＳＲＳ伝送は、サブフレームｎで伝送されるアップリンクグラントで設定されるアップリンク伝送ランクに依存することができる。移動端末がＮ伝送アップリンクＭＩＭＯモードに設定され、非周期ＳＲＳをトリガーするアップリンクグラントが移動端末から単一階層伝送をスケジュールすれば（すなわち、アップリンク伝送ランク＝１）、移動端末は、ＳＩＭＯ伝送のための単一アンテナポート上で非周期ＳＲＳを伝送することができる。代案的に、もし非周期ＳＲＳをトリガーするアップリンクグラントが移動端末から多重階層伝送をスケジュールすれば（すなわち、アップリンク伝送ランク＞１）、移動端末は、すべてのＮアンテナポート上で非周期ＳＲＳを伝送することができる。
【００５２】
第２の例で、ＳＲＳ帯域幅（ＢＷ）は、サブフレームｎで伝送されるアップリンクグラントで設定されるアップリンク伝送ランクに依存することができる。もし移動端末がアップリンクＭＩＭＯモードに設定され、非周期ＳＲＳをトリガーするアップリンクグラントが移動端末が移動端末自体単一階層伝送（または明確な伝送ダイバシティ伝送）を行うように要請するフォールバックグラントなら、移動端末は、帯域幅１（ＢＷ１）で示される第１帯域幅内で非周期ＳＲＳを伝送することができる。一方、非周期ＳＲＳをトリガーするアップリンクグラントが、移動端末がｎ＝１、２、…Ｎであるｎ階層ビームフォーミングを行うように要請する、アップリンクＭＩＭＯモードのための一般伝送グラントなら、移動端末は、帯域幅２（ＢＷ２）で示される第２帯域幅内で非周期ＳＲＳを伝送することができる。帯域幅１（ＢＷ１）及び帯域幅２（ＢＷ２）帯域幅は、基地局によって伝送されるＲＲＣシグナリングで設定されることができる。本発明の実施例において、基地局は、帯域幅２のサブセットとして帯域幅１を設定することができる。したがって、移動端末がＳＲＳを伝送する帯域幅は、移動端末がＳＲＳを伝送するフォールバック伝送グラントを有する非周期ＳＲＳを行うようにトリガーされるとき、減少する。
【００５３】
第３の例で、ＳＲＳ帯域幅は、アップリンクグラント、ダウンリンクグラント、または両方が非周期ＳＲＳをトリガーするか否かに依存する。移動端末がアップリンクＭＩＭＯモードまたはアップリンクＳＩＭＯモードに設定され、アップリンクグラントが非周期ＳＲＳをトリガーすれば、移動端末は、帯域幅１（ＢＷ１）で示される第１帯域幅内で非周期ＳＲＳを伝送することができる。もしダウンリンクグラントが非周期ＳＲＳをトリガーすれば、移動端末は、帯域幅２（ＢＷ２）で示される第２帯域幅内で非周期ＳＲＳを伝送することができる。帯域幅１（ＢＷ１）及び帯域幅２（ＢＷ２）の帯域幅は、基地局によって伝送されるＲＲＣシグナリングで設定されることができる。
【００５４】
キャリア結合で多重非周期ＳＲＳトリガー
本発明の一実施例において、基地局は、１つ以上のコンポネントキャリア（ＣＣ）上で同時非周期ＳＲＳ（ａ−ＳＲＳ）を移動端末からトリガーすることができる。
【００５５】
第１の代案的な実施例において、基地局は、異なるアップリンクコンポネントキャリア上で非周期ＳＲＳをトリガーするための個別アップリンク及びダウンリンクトリガーグラントを伝送し、１つのアップリンクまたはダウンリンクトリガーグラントは、各アップリンクコンポネントキャリアＳＲＳのためのものである。移動端末がサブフレームｎで多重非周期ＳＲＳトリガーグラントを受信するとき、移動端末は、まず、多重トリガーグラントが一致するか（ｃｏｎｓｉｓｔｅｎｔ）否かを検証する。トリガーグラントが異なるコンポネントキャリアで同一のサブフレームｎに対する非周期ＳＲＳ伝送をトリガーすれば、２トリガーグラントは、一致する。また、２トリガーグラントが同一のコンポネントキャリアで、同一のサブフレームｎで、そして同一のＳＲＳリソース（例えば、同一の帯域幅）を利用して非周期ＳＲＳ伝送をトリガーすれば、２トリガーグラントは、一致する。２トリガーグラントが一致すれば、ＳＲＳは、伝送される。もしトリガーグラントが一致しなければ、何らの周期ＳＲＳも伝送されない。
【００５６】
第２の代案的な実施例において、単一トリガーグラントは、多重アップリンクコンポネントキャリア上で非周期ＳＲＳをトリガーするために伝送される。第２代案の一番目の例で、上位階層（ＲＲＣ）設定は、移動端末がＳＲＳ伝送を行わなければならないコンポネントキャリアのセットを構成するために移動端末にシグナリングされる。上位階層設定は、１ビットの情報で構成され、各状態は、次の表５に示されたように、ＳＲＳ伝送設定を示す。
【００５７】
【表５】
2016021784.tif 000007
【００５８】
移動端末は、上位階層設定を受信した後、移動端末は、ＤＣＩフォーマットが非周期ＳＲＳをトリガーするか否かに関係なく、上位階層設定によって非周期ＳＲＳを伝送する。
【００５９】
移動端末が同一のサブフレームｎで多重非周期ＳＲＳトリガーグラントを受信するとき、移動端末は、まず、多重グラントが一致するか否かを検証する。２グラントが異なるＳＲＳリソースで非周期ＳＲＳをトリガーするとき、２グラントは一致しない。もし２グラントが一致すれば、トリガーされた非周期ＳＲＳが伝送される。もし２グラントが一致しなければ、すべてのＳＲＳは、ドロップされるか（ｄｒｏｐｐｅｄ）、伝送されない。
【００６０】
第２の代案的な実施例の二番目の例で、移動端末が非周期ＳＲＳを伝送することができるコンポネントキャリアのセットを説明する非周期ＳＲＳ伝送構成テーブル（例えば、上記表５）は、無線ネットワークで固定されるか、または上位階層（ＲＲＣ）シグナリングを利用して移動端末にシグナリングされる。非周期ＳＲＳ伝送構成テーブルが２ｂ状態より小さいか、または同じものを有すると仮定すれば、ｂビット情報は、移動端末に状態を示すようにＳＲＳトリガーグラントで動的にシグナリングされる。ｂビット情報は、明示的または暗黙的にシグナリングされることができる。明示的なシグナリングの一例で、ｂビットフィールドは、２ｂ状態以外の１つの状態を示すための既存のＤＣＩフォーマットに付着する。例えば、表５で、１ビットフィールドの情報は、ＤＣＩフォーマット０に付着した１ビットフィールドによって示されることができる。
【００６１】
移動端末が同一のサブフレームｎで多重非周期ＳＲＳトリガーグラントを受信するとき、移動端末は、まず、多重グラントが一致するか否かを検証する。２グラントが異なるＳＲＳリソースで非周期ＳＲＳをトリガーするとき、２グラントは一致しない。もし２グラントが一致すれば、トリガーされた非周期ＳＲＳは、伝送される。もし２グラントが一致しなければ、すべてのＳＲＳは、ドロップされ、伝送されない。
【００６２】
第２の代案的な実施例の三番目の例において、移動端末が非周期ＳＲＳを伝送することができるコンポネントキャリアのセットは、ＤＣＩフォーマットをトリガーすることによって決定される。各ＤＣＩフォーマットが非周期ＳＲＳをトリガーするコンポネントキャリアのセットは、上位階層（ＲＲＣ）によって設定されるか、または通信システムで固定されることができる。しかも、非周期ＳＲＳをトリガーするためのコンポネントキャリアのセットのＤＣＩフォーマットに対する従属をスイッチオンまたはオフするための他の上位階層（ＲＲＣ）設定が存在することができる。もし従属がオフ（ｏｆｆ）とされれば、任意の非周期ＳＲＳトリガーグラントは、上記表５で状態０の説明によってＣＣで非周期ＳＲＳをトリガーすることができる。
【００６３】
移動端末が同一のサブフレームｎで多重非周期ＳＲＳトリガーグラントを受信するとき、移動端末は、まず、多重グラントが一致するか否かを検証する。２グラントは、２グラントが異なるＳＲＳリソースで非周期ＳＲＳをトリガーするときに一致しない。もし２グラントが一致すれば、トリガーされた非周期ＳＲＳは、伝送される。もし２グラントが一致しなければ、すべてのＳＲＳは、ドロップされ、伝送されない。
【００６４】
一例として、ＤＣＩフォーマット４が非周期ＳＲＳをトリガーすれば、非周期ＳＲＳは、上記表５で状態０の説明によってコンポネントキャリア（ＣＣ）で伝送される。そうでなければ、非周期伝送は、下記の表６に示されたように、すべての活性化されたアップリンクコンポネントキャリアで伝送される。表６は、上位階層（ＲＲＣ）シグナリングによって設定されることができるか、または無線ネットワークで固定されることができる。ＤＣＩフォーマット４が多重ポート非周期ＳＲＳをトリガーすることができるアップリンクＭＩＭＯＤＣＩフォーマットであるから、単一ポート非周期ＳＲＳより多重ポート非周期ＳＲＳの伝送のためにさらに多い伝送パワーを使用することと予想される。したがって、ＤＣＩフォーマット４が非周期ＳＲＳをトリガーするとき、すべての活性化されたコンポネントキャリアで非周期ＳＲＳをトリガーすることは、好ましくないことがある。
【００６５】
【表６】
2016021784.tif 000008
【００６６】
第２の代案的な実施例の４番目の例において、移動端末が非周期ＳＲＳを伝送しなければならないコンポネントキャリアのセットは、ＲＲＣによって設定される非周期ＳＲＳパラメータセットによって決定される。さらに、非周期ＳＲＳをトリガーするためのコンポネントキャリアのセット及びパラメータのセットの間にマッピングを定義するために、そして非周期ＳＲＳをトリガーするためのコンポネントキャリアのセットの非周期パラメータセット上に従属をスイッチオンまたはオフするために他の上位階層（ＲＲＣ）設定が存在することができる。もし従属がオフされれば、任意の非周期ＳＲＳトリガーグラントは、上記表５で状態０の説明によってコンポネントキャリアで非周期ＳＲＳをトリガーすることができる。例えば、ＲＲＣ設定は、下記の表７のように非周期ＳＲＳをトリガーするためのコンポネントキャリアのセットとパラメータセットとの間にマッピングを定義する：
【００６７】
【表７】
2016021784.tif 000009
【００６８】
移動端末が同一のサブフレームｎで多重非周期ＳＲＳトリガーグラントを受信するとき、移動端末は、まず、前記多重グラントが一致するか否かを検証する。２グラントが異なるＳＲＳリソースで非周期ＳＲＳをトリガーするとき、２グラントは一致しない。もし２グラントが一致すれば、トリガーされた非周期ＳＲＳは、伝送される。もし２グラントが一致しなければ、すべてのＳＲＳは、ドロップされ、伝送されない。
【００６９】
非周期ＳＲＳパラメータセットは、３ＧＰＰ ＲＡＮ１ ｔｄｏｃ Ｒ１−１１０５５８で紹介される。これは、その全体がこの文献に記載されたもののように参照として含まれる。ｔｄｏｃ Ｒ１−１１０５５８で、基地局が５個の非周期ＳＲＳパラメータセット（セット１、セット２、…、セット５）を定義する表を定義することが提案された−設定されたコンポネントキャリア（ＣＣ）当たり１つの表。パラメータセットは、循環シフト、伝送コム（ｔｒａｎｓｍｉｓｓｉｏｎ ｃｏｍｂ）、ＳＲＳ帯域幅、周波数ドメイン位置、アンテナポートの数、ＳＲＳ設定インデックスなどを定義する。ｔｄｏｃ Ｒ１−１１０５５８は、セット１は、ＤＣＩフォーマット０（アップリンクＳＩＭＯグラント）が非周期ＳＲＳをトリガーするときに使用され、セット２、３及び４は、ＤＣＩフォーマット４（アップリンクＭＩＭＯグラント）が非周期ＳＲＳをトリガーするときに使用され、セット５は、少なくともダウンリンクＳＩＭＯグラントが非周期ＳＲＳをトリガーするときに使用されることを追加に提案した。
【００７０】
キャリア結合でＳＲＳパワー制御
図５及び図６は、キャリア結合システムで例示的なＳＲＳ伝送シナリオを示す。移動端末は、２アップリンクコンポネントキャリア（または２セル）、アップリンクＣＣ１及びアップリンクＣＣ２上で信号（すなわち、ＳＣ−ＦＤＭシンボル）を伝送するように設定される。図５の左側側面上のサブフレーム１で、移動端末は、連続されたタイムスロットで１４シンボルを含む一番目のサブフレームでアップリンクコンポネントキャリアの両方でＰＵＳＣＨデータを伝送するようにスケジュールされる。アップリンクＣＣ１上の一番目の１３シンボル（陰影無し）は、ＰＵＳＣＨデータを含む。最後のＳＣ−ＦＤＭシンボル（陰影有り）は、アップリンクＣＣ１上でスケジュールされるサウンディングレファレンス信号（ＳＲＳ）である。アップリンクＣＣ２上のすべての１４ ＳＣ−ＦＤＭシンボルは、ＰＵＳＣＨデータ（陰影無し）を含む。
【００７１】
図５で、ＳＲＳシンボルの垂直高さは、さらに高いパワーレベルを示すためにＰＵＳＣＨデータシンボルの垂直高さより大きい。移動端末は、アップリンクＣＣ１上のＰＵＳＣＨＳＣ−ＦＤＭシンボルより高いパワーを有するＳＲＳ ＳＣ−ＦＤＭシンボルを伝送するように設定されることができ、非ＳＲＳ ＳＣ−ＦＤＭシンボル上にパワーオーバーフローが存在しないとしても、パワーオーバーフローは、ＳＲＳ ＳＣ−ＦＤＭシンボル上で発生することができる。用語“パワーオーバーフロー（ｐｏｗｅｒ ｏｖｅｒｆｌｏｗ）”は、ＳＲＳ及びＰＵＳＣＨ上のパワー制御公式から算出される合算パワーが移動端末の全体伝送パワー、ＰＣＭＡＸより大きいことを示す。例えば、もし、パワー制御公式が前述したＲＥＦ４及びＲＥＦ５で協定による（ａｇｒｅｅｄ）パワー制御公式なら、パワーオーバーフロー条件は、次の通りである：
【００７２】
【数１】
2016021784.tif 000010
【００７３】
図５の右側面上のサブフレーム２で、移動端末は、アップリンクＣＣ２上でＰＵＳＣＨを伝送するようにスケジュールされ、同時に、ＳＲＳは、アップリンクＣＣ１上にスケジュールされる。ＳＲＳは、ただサブフレーム２でアップリンクＣＣ１の最後のＳＣ−ＦＤＭシンボルで伝送される。
【００７４】
最後に、図６で、移動端末は、サブフレームでアップリンクコンポネントキャリアの両方（すなわち、アップリンクＣＣ１及びアップリンクＣＣ２）でＳＲＳを伝送するようにスケジュールされる。この例で、非ＳＲＳ ＳＣ−ＦＤＭシンボル上でどんなパワーオーバーフローも存在しないとしても、パワーオーバーフローは、ＳＲＳ ＳＣ−ＦＤＭ上で発生することができる。
【００７５】
次の論議は、ＰＵＳＣＨが１つのアップリンクＣＣ上で伝送され、ＳＲＳが同一のＳＣ−ＦＤＭシンボルの異なるアップリンクＣＣ上で伝送される場合に、ＳＲＳ ＳＣ−ＦＤＭシンボルでパワーオーバーフローを解決する多数の方法を説明する。この方法は、ただＳＲＳ ＳＣ−ＦＤＭシンボルに対して適用される。非ＳＲＳ ＳＣ−ＦＤＭシンボルのために、従来技術に説明されたような一般パワースケール方法が使用される。さらに、ＰＵＳＣＨがスケジュールされるアップリンクＣＣ上にＳＲＳ ＳＣ−ＦＤＭシンボルに対してどんなパワーもＰＵＳＣＨ上に割り当てられないとき（またはＰＵＳＣＨがドロップされるとき）、レートマッチングがアップリンクＣＣの最後のＳＣ−ＦＤＭシンボル周辺で行われることができる。あるＰＵＣＣＨも個別サブフレームｉでスケジュールされないとき、
【００７６】
【数２】
2016021784.tif 000011
【００７７】
である。
【００７８】
説明を容易にするために、すべての物理信号、ＰＵＣＣＨ、ＰＵＳＣＨ及びＳＲＳは、関心サブフレーム（ｓｕｂｆｒａｍｅ ｏｆ ｉｎｔｅｒｅｓｔ）で移動端末に対してスケジュールされると仮定する。もし一部の物理信号がサブフレームで移動端末に対してスケジュールされなければ、ゼロ（０）パワーレベルが非スケジュールされた物理信号に対して割り当てられる。
【００７９】
第１の好ましい方法において、ＳＲＳは、ＳＲＳ ＳＣ−ＦＤＭシンボルでパワースケール（ｓｃａｌｅ）のためにＰＵＳＣＨのように取り扱われる。もしＳＲＳ ＳＣ−ＦＤＭシンボルで全体伝送パワーが移動端末最大伝送パワー
【００８０】
【数３】
2016021784.tif 000012
【００８１】
を超過すれば、移動端末は、各ＰＵＳＣＨ（ここで、ＰＵＳＣＨは、ＳＲＳを含む）の伝送パワーを次のようになるようにスケールする。
【００８２】
【数４】
2016021784.tif 000013
【００８３】
ここで、
【００８４】
【数５】
2016021784.tif 000014
【００８５】
は、コンポネントキャリアｃ上でＰＵＳＣＨに対するスケールファクターである。
他の好ましい方法において、ＳＲＳは、ＳＲＳ ＳＣ−ＦＤＭシンボルでパワースケールのためにＰＵＳＣＨのように取り扱われる。もし、ＳＲＳ ＳＣ−ＦＤＭシンボルで全体伝送パワーが移動端末最大伝送パワー
【００８６】
【数６】
2016021784.tif 000015
【００８７】
を超過すれば、移動端末は、各ＳＲＳの伝送パワーを次のようになるようにスケールする。
【００８８】
【数７】
2016021784.tif 000016
【００８９】
ここで、
【００９０】
【数８】
2016021784.tif 000017
【００９１】
は、コンポネントキャリアｃ上でＳＲＳに対するスケールファクターである。また、
【００９２】
【数９】
2016021784.tif 000018
【００９３】
は、サブフレームｉでコンポネントキャリアｃに対するＳＲＳのパワーである。
【００９４】
第２の方法において、ＳＲＳは、ＰＵＣＣＨデータより少なく優先するが、ＳＲＳ ＳＣ−ＦＤＭシンボルでＰＵＳＣＨよりも、さらに優先する。この場合において、全体ＰＵＣＣＨ伝送パワーは、ＳＲＳ ＳＣ−ＦＤＭに対してリザーブされる（ｒｅｓｅｒｖｅｄ）。その後、全体ＳＲＳパワーは、ＰＣＭＡＸに至るまで、サブフレームｉでスケジュールされたＳＲＳを有するアップリンクコンポネントキャリアの整列されたリストによる伝送に対して連続してリザーブされる。すべてのＳＲＳパワーを割り当てた後、どんな残っているパワーが存在すれば、ＰＵＳＣＨパワーが割り当てられる。次の段階は、この第２の方法をさらに詳細に説明する：
【００９５】
段階１：もしサブフレームｉでＰＵＣＣＨ伝送が存在すれば、全体ＰＵＣＣＨパワーＰＰＵＣＣＨ（ｉ）は、ＳＲＳ−ＳＣ ＦＤＭシンボルに対してまずリザーブされる。そうでなければ、段階２に直接進行する。もしＰＰＵＣＣＨ（ｉ）がＰＣＭＡＸを超過すれば、移動端末は、サブフレームｉでただＰＵＣＣＨを伝送する。
【００９６】
段階２：移動端末は、スケジュールされたＳＲＳを有するアップリンクコンポネントキャリアインデックスを含む優先順位整列リストによって、順に各スケジュールされたＳＲＳのパワーを追加する。ここで、優先順位整列リストは、｛ｃ（１）、ｃ（２）、…、ｃ（ＣＳＲＳ）｝のように記録されることができる。
【００９７】
段階３：ｍ＝１に設定する。
【００９８】
段階４：アップリンクコンポネントキャリアｃ（ｍ）上のＳＲＳパワーを追加して得られる全体パワーがＰＣＭＡＸを超過すれば、ただアップリンクコンポネントキャリアｃ（１）、…、ｃ（ｍ−１）上のＰＵＣＣＨ及びＳＲＳは、サブフレームｉで伝送される。そうでなければ、段階５に進行する。
【００９９】
段階５：１ずつｍ増加。もしｍがＣＳＲＳ＋１と同じであれば、段階６に進行する。そうでなければ、段階４に進行する。
【０１００】
段階６：次の公式によってＰＵＳＣＨパワースケールを低める（Ｓｃａｌｅ ｄｏｗｎ）。
【０１０１】
【数１０】
2016021784.tif 000019
【０１０２】
この方法は、ＳＲＳ伝送が基地局でアップリンクチャネル推定を利用することができるようにスケジュールされるパワーで常時伝送されるようにすることを保障する。しかし、移動端末は、ＳＲＳ ＳＣ−ＦＤＭ上で一部のスケジュールされたＳＲＳ及びＰＵＳＣＨを伝送しない。そして、基地局は、ドロップされたＳＲＳ及びＰＵＳＣＨを認知しないことがある。
【０１０３】
さらに、ＳＲＳ伝送のうち次の優先順位のセットが提案される：１）非周期ＳＲＳは、周期ＳＲＳより優先する。２）ＭＩＭＯ ＳＲＳは、ＳＩＭＯ ＳＲＳより優先する。３）アップリンクＰＣＣ（またはプライマリーセル（ｐｒｉｍａｒｙ ｃｅｌｌ））上のＳＲＳは、アップリンクＳＣＣ（またはセカンダリーセル（ｓｅｃｏｎｄａｒｙ ｃｅｌｌｓ））上のＳＲＳより優先する。４）アップリンクコンポネントキャリアのための優先順位整列リストは、上位階層（ＲＲＣ）シグナリングで伝達する。ＳＲＳを伝送するようにスケジュールされたアップリンクコンポネントキャリアのうち優先順位整列リストによって上位優先順位のアップリンクコンポネントキャリアからＳＲＳが伝送される。５）上位階層（ＲＲＣ）シグナリングで伝達されるアップリンクコンポネントキャリアに対する優先順位整列リストが伝送される。そして６）小さいコンポネントキャリア識別子を有するコンポネントキャリアは、ＳＲＳ伝送のために大きいコンポネントキャリア識別子を有する他のコンポネントキャリアより優先的に処理される。
【０１０４】
第３の方法において、ＳＲＳは、ＰＵＣＣＨより少なく優先するが、ＳＲＳ ＳＣ−ＦＤＭシンボルでＰＵＳＣＨよりさらに優先する。さらに、ただ１つの上位優先順位ＳＲＳが維持される。一方、他のＳＲＳは、ドロップされる。この第３の方法の一番目の代案において、ＳＲＳパワーを割り当てた後、どんな残っているパワーが存在すれば、ＰＵＳＣＨパワーが割り当てられる。次の段階は、この一番目の代案を説明する：
【０１０５】
段階１：サブフレームｉでＰＵＣＣＨ伝送が存在すれば、全体ＰＵＣＣＨパワーＰＰＵＣＣＨ（ｉ）がまずリザーブされる。そうでなければ、段階２にすぐ進行する。もしＰＰＵＣＣＨ（ｉ）がＰＣＭＡＸを超過すれば、移動端末は、サブフレームｉでただＰＵＣＣＨを伝送する。そうでなければ、段階２に進行する。
【０１０６】
段階２：移動端末は、あらかじめ決定された優先順位によって、最も優先するＳＲＳのパワーを追加する。
【０１０７】
段階３：ＳＲＳパワーを追加して得られる全体パワーがＰＣＭＡＸを超過すれば、ただＰＵＣＣＨがサブフレームｉで伝送される。
【０１０８】
段階４：次の数式によってＰＵＳＣＨパワーがダウンスケールされる（Ｓｃａｌｅ ｄｏｗｎ）：
【０１０９】
【数１１】
2016021784.tif 000020
【０１１０】
第３の方法の二番目の代案において、ＳＲＳパワーを割り当てた後、残っているパワーが存在しても、ＰＵＳＣＨデータは、ＳＲＳ ＳＣ−ＦＤＭシンボルでドロップされる。この方法は、多くても、１つのＳＲＳがスケジュールされたパワーレベルで伝送されることを保障する。基地局がエネルギー検出（ｅｎｅｒｇｙ ｄｅｔｅｃｔｉｏｎ）によって最も優先するＳＲＳが伝送されるか否かを検査する必要があるので、ドロップ動作は、基地局で予測することもできる。しかし、第３の方法の一番目の代案において、ＰＵＳＣＨパワーは、異なるＳＣ−ＦＤＭシンボルにわたって多様であることができるので、基地局は、ＳＲＳ ＳＣ−ＦＤＭシンボル上のパワーレベルを正確に測定することができないことがある。第３の方法の二番目の代案において、すべてのＰＵＳＣＨは、ＳＲＳ ＳＣ−ＦＤＭシンボル上でドロップされるので、そういう問題が全然ない。
【０１１１】
第４の方法において、ＳＲＳは、ＰＵＣＣＨより少なく優先する。一方で、多くても、１つのＳＲＳは、ＳＲＳ ＳＣ−ＦＤＭシンボルですべてのＰＵＳＣＨをドロップすることとともに優先する。このような場合、全体ＰＵＣＣＨ伝送パワーがまずリザーブされる。その後、１つの全体ＳＲＳパワーがあらかじめ決定された優先順位によって伝送のためにリザーブされる。ＰＵＳＣＨがＳＲＳ（及びＰＵＣＣＨ）とともにスケジュールされるとき、ＰＵＳＣＨは、ＳＲＳ ＳＣ−ＦＤＭシンボル上でドロップされる。
【０１１２】
第４の方法の１つの変化において、ＳＲＳは、ＰＵＣＣＨより少なく優先する。一方、多くても、Ｎ ＳＲＳは、ＳＲＳ ＳＣ−ＦＤＭシンボルですべてのＰＵＳＣＨをドロップすることとともに優先する。ここで、Ｎ＝１、２、３、…、であり、Ｎは、固定されるか、または上位階層によってシグナルされる。この場合において、全体ＰＵＣＣＨ伝送パワーがまずリザーブされる。その後、１つの全体ＳＲＳパワーは、あらかじめ決定された優先順位によって伝送のためにリザーブされる。ＰＵＳＣＨがＳＲＳ（及びＰＵＣＣＨ）とともにスケジュールされるとき、ＰＵＳＣＨは、ＳＲＳ ＳＣ−ＦＤＭシンボル上でドロップされる。
【０１１３】
第５の方法において、ＳＲＳは、ＳＲＳ ＳＣ−ＦＤＭシンボルですべてのＰＵＳＣＨをドロップすることとともに、ＰＵＣＣＨより少なく優先する。このような場合、全体ＰＵＣＣＨ伝送パワーがまずリザーブされる。その後、全体ＳＲＳパワーは、あらかじめ決定された優先順位によって伝送のためにリザーブされる。ＰＵＳＣＨがＳＲＳ（及びＰＵＣＣＨ）とともにスケジュールされるとき、ＰＵＳＣＨは、ＳＲＳ ＳＣ−ＦＤＭシンボル上でドロップされる。この方法は、ＳＲＳが基地局でアップリンクチャネル推定を利用することができるように、スケジュールされたパワーで常時伝送されることを保障する。しかし、これは、移動端末がＳＲＳ ＳＣ−ＦＤＭ上で一部スケジュールされたＳＲＳ及びＰＵＳＣＨを伝送しないことがあり、そして基地局がドロップされたＳＲＳ及びＰＵＳＣＨを認知しないことがあるという問題を有する。
【０１１４】
第６の方法において、ＳＲＳは、ＰＵＣＣＨより少なく優先する。そして、ＳＲＳ伝送は、ダウンスケールされる（ｓｃａｌｅｄ ｄｏｗｎ）（もし、必要であれば）。したがって、全体伝送パワーは、ＰＣＭＡＸを超過しない。また、すべてのＰＵＳＣＨは、ＳＲＳ ＳＣ−ＦＤＭシンボルでドロップされる。この場合において、全体ＰＵＣＣＨ伝送パワーは、まずリザーブされる。その後、ＳＲＳパワーは、ダウンスケールされる（もし必要であれば）。したがって、全体伝送パワーは、ＰＣＭＡＸを超過しない。ＰＵＳＣＨがＳＲＳ（及びＰＵＣＣＨ）とともにスケジュールされるとき、ＰＵＳＣＨは、ＳＲＳ ＳＣ−ＦＤＭシンボル上でドロップされる。この方法は、基地局が移動端末がＳＲＳのためのパワーダウンスケールを行うか否かを知らないときは、好ましくないことがある。しかし、この方法は、すべてのスケジュールされたＳＲＳ及びＰＵＣＣＨがＳＲＳ ＳＣ−ＦＤＭシンボル上で伝送されることを保障する。
【０１１５】
第７の方法において、ＳＲＳ ＳＣ−ＦＤＭシンボルで、ＳＲＳは、ＰＵＣＣＨより少なく優先する。しかし、ＳＲＳは、ＵＣＩを有するＰＵＳＣＨよりさらに優先する。ＵＣＩ無しのＰＵＳＣＨは、最も少なく優先する。この場合において、優先順位整列リストは、ＰＵＣＣＨ＞ＳＲＳ＞ＵＣＩを有するＰＵＳＣＨ＞ＵＣＩ無しのＰＵＳＣＨである。ＳＲＳ ＳＣ−ＦＤＭシンボル上で、全体ＰＵＣＣＨパワーがまずリザーブされる。もし全体ＰＵＣＣＨパワーを割り当てた後、どんな残されたパワーが存在すれば、ＳＲＳは、残されたパワーを取る。
【０１１６】
１つの代案において、ただ１つのＳＲＳは、あらかじめ決定されたＳＲＳのための優先順位リストによって全体パワーに伝送される。パワーをＳＲＳ及びＰＵＣＣＨに割り当てた後、どんな残っているパワーが存在すれば、残っているパワーは、まずＵＣＩを有するＰＵＳＣＨに割り当てられる。もし残っているパワーがＵＣＩを有するＰＵＳＣＨのためのＰＵＳＣＨパワー、すなわちＰＰＵＳＣＨ、ｊ（ｉ）より大きいかまたは同一であれば、残っているパワーは、ＵＣＩを有するＰＵＳＣＨに割り当てられ、どんなパワーもＵＣＩがないＰＵＳＣＨに割り当てられない。そうでなければ、ＵＣＩを有するＰＵＳＣＨに割り当てられた後、残っているパワーは、次のパワースケーリング公式によって、ＵＣＩ無しのＰＵＳＣＨに割り当てられる：
【０１１７】
【数１２】
2016021784.tif 000021
【０１１８】
明らかに、どんなＵＣＩを有するＰＵＳＣＨもサブフレームｉでスケジュールされなければ、ＰＰＵＳＣＨ、ｊ（ｉ）＝０である。
【０１１９】
他の代案において、多数のＳＲＳは、ＳＲＳのためのあらかじめ決定された優先順位リストによって全体パワーで伝送されることができる。ＰＵＣＣＨにパワーを割り当てた後、移動端末は、順にサブフレームでスケジュールされたＳＲＳに対して全体パワーを割り当てることを試みる。もし全体パワーがｎ番目ＳＲＳを追加してＰＣＭＡＸを超過すれば、ｎ番目のＳＲＳは、ドロップされ、ただ（ｎ−１）ＳＲＳ及びＰＵＣＣＨが伝送される。もしＳＲＳに全体パワーを割り当てた後、どんな残っているパワーが存在すれば、ＵＣＩを有するＰＵＳＣＨにパワーを割り当てることが試みられる。残っているパワーがＵＣＩを有するＰＵＳＣＨのためのＰＵＳＣＨパワー、すなわちＰＰＵＳＣＨ、ｊ（ｉ）より大きいかまたは同一であれば、残っているパワーは、ＵＣＩを有するＰＵＳＣＨに割り当てられ、どんなパワーもＵＣＩ無しのＰＵＳＣＨに割り当てられない。そうでなければ、ＵＣＩを有するＰＵＳＣＨに割り当てられた後、残っているパワーは、次のパワースケーリング公式によって、ＵＣＩ無しのＰＵＳＣＨに割り当てられる：
【０１２０】
【数１３】
2016021784.tif 000022
【０１２１】
明らかに、どんなＵＣＩを有するＰＵＳＣＨもサブフレームｉでスケジュールされないとき、ＰＰＵＳＣＨ、ｊ（ｉ）＝０である。
【０１２２】
第８の方法において、ＳＲＳ ＳＣ−ＦＤＭシンボルでパワー制御のための優先順位整列リストは、次の通りである：ＰＵＣＣＨ＞非周期ＳＲＳ＞ＰＵＳＣＨ（ＵＣＩを有するかまたは有しない）＞周期ＳＲＳ。ＰＵＣＣＨに全体パワーを割り当てた後、移動端末は、非周期ＳＲＳに対して全体パワーを割り当てることを試みる。ＳＲＳと一緒にスケジュールされたどんなＰＵＳＣＨが存在する場合において、非周期ＳＲＳ及びＰＵＣＣＨにパワーを割り当てた後、どんな残っているパワーが存在したら、残っているパワーは、ＵＣＩを有するＰＵＳＣＨにまず割り当てられる。残っているパワーがＵＣＩを有するＰＵＳＣＨのためのＰＵＳＣＨパワー、すなわちＰＰＵＳＣＨ、ｊ（ｉ）より大きいかまたは同一であれば、残っているパワーは、ＵＣＩを有するＰＵＳＣＨに割り当てられ、どんなパワーもＵＣＩ無しのＰＵＳＣＨに割り当てられない。そうでなければ、ＵＣＩを有するＰＵＳＣＨに割り当てられた後、残っているパワーは、パワースケーリング公式によって、ＵＣＩ無しのＰＵＳＣＨに割り当てられる：
【０１２３】
【数１４】
2016021784.tif 000023
【０１２４】
明らかに、どんなＰＵＳＣＨもサブフレームｉでスケジュールされなければ、ＰＰＵＳＣＨ、ｊ（ｉ）＝０である。さらに、どんな非周期ＳＲＳもサブフレームｉでスケジュールされなければ、ＰＳＲＳ、ａｐｅｒｉｏｄｉｃ（ｉ）＝０である。このような場合において、周期ＳＲＳは、ドロップされる。
【０１２５】
どんなＰＵＳＣＨもＳＲＳとともにスケジュールされない場合において、残っているパワーは、あらかじめ決定された優先順位リストによって周期ＲＳに割り当てられる。
【０１２６】
第９の方法において、ＳＲＳ ＳＣ−ＦＤＭでパワー制御のための優先順位整列リストは、次の通りである：ＰＵＣＣＨ＞非周期ＳＲＳ＞ＵＣＩを有するＰＵＳＣＨ＞周期ＳＲＳ。ＵＣＩ無しのＰＵＳＣＨが存在すれば、これらＰＵＳＣＨは、ＳＲＳ ＳＣ−ＦＤＭシンボル上でドロップされる。全体パワーをＰＵＣＣＨに割り当てた後、移動端末は、非周期ＳＲＳに全体パワーを割り当てることを試みる。ＳＲＳと一緒にスケジュールされたどんなＵＣＩを有するＰＵＳＣＨが存在する場合において、非周期ＳＲＳ及びＰＵＣＣＨにパワーを割り当てた後、どんな残っているパワーが存在すれば、残っているパワーは、ＵＣＩを有するＰＵＳＣＨに割り当てられる。もし残っているパワーがＵＣＩを有するＰＵＳＣＨのためのＰＵＳＣＨパワー、すなわちＰＰＵＳＣＨ、ｊ（ｉ）より大きいかまたは同一であれば、残っているパワーは、ＵＣＩを有するＰＵＳＣＨに割り当てられ、どんなパワーも周期ＳＲＳに割り当てられない。そうでなければ、ＵＣＩを有するＰＵＳＣＨに割り当てられた後、残っているパワーは、あらかじめ決定された優先順位リストによって、周期ＳＲＳに割り当てられる。
【０１２７】
ＳＲＳと一緒にスケジュールされたどんなＰＵＳＣＨもない場合、残っているパワーは、あらかじめ決定された優先順位リストによって周期ＳＲＳに割り当てられる。
【０１２８】
第１０の方法において、ＳＲＳ ＳＣ−ＦＤＭシンボルでパワー制御のための優先順位整列リストは、次の通りである：ＰＵＣＣＨ＞ＭＩＭＯ ＳＲＳ＞ＰＵＳＣＨ（ＵＣＩを有するか、または有しない）非ＭＩＭＯ ＳＲＳ。パワー割り当ての連続された手続は、前述した第８の方法に従う。
【０１２９】
第１１の方法において、ＳＲＳ ＳＣ−ＦＤＭシンボルでパワー制御のための優先順位整列リストは、次の通りである：ＰＵＣＣＨ＞ＭＩＭＯ ＳＲＳ＞ＵＣＩを有するＰＵＳＣＨ＞非ＭＩＭＯ ＳＲＳ。もしＵＣＩ無しのＰＵＳＣＨが存在すれば、これらＰＵＳＣＨは、ＳＲＳ ＳＣ−ＦＤＭシンボルでドロップされる。パワー割り当ての連続された手続は、前述された第９の方法に従う。
【０１３０】
第１２の方法において、多重の周期ＳＲＳがサブフレームでスケジュールされ、どんな非周期ＳＲＳもスケジュールされなければ、すべてのスケジュールされた周期ＳＲＳは、前述した第１の方法によって伝送される（すなわち、周期ＳＲＳのパワーは、もしパワーが制限されれば、ダウンスケールされる）。すなわち、次の通りである：
【０１３１】
【数１５】
2016021784.tif 000024
【０１３２】
他方で、非周期ＳＲＳがサブフレームで多重の非周期ＳＲＳとともにスケジュールされるとき、移動端末は、ただ非周期ＳＲＳを伝送し、多重の周期ＳＲＳをドロップさせる。
【０１３３】
この方法は、少なくとも非周期ＳＲＳがスケジュールされたパワーに伝送されることを保障する。さらに、周期ＳＲＳドロップ動作は、基地局が周期ＳＲＳがスケジュールされるサブフレームで非周期ＳＲＳをトリガーするので、基地局で予測することができる。
【０１３４】
今まで実施例とともに本発明を説明したが、この技術分野における通常の知識を有する者によって多様な変更及び修正が提案されることができる。添付の特許請求範囲の範囲内でそのような変更及び修正は、本発明の権利範囲に属すると言える。
【符号の説明】
【０１３５】
１０１〜１０３，２２０ 基地局
１１１〜１１６，２０２〜２０８ 移動端末
１２０，１２５ カバレージ領域
１３０ インターネット
３１０ 空間プロセッシング
【図１】
2016021784.tif 000029
【図２】
2016021784.tif 000030
【図３】
2016021784.tif 000031
【図４Ａ】
2016021784.tif 000032
【図４Ｂ】
2016021784.tif 000033
【図５】
2016021784.tif 000034
【図６】
2016021784.tif 000035